【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
電子インクに関する情報と、前記電子インクに関する認識結果の代替案とを含むツリー構造と対話するための方法であって、
前記ツリー構造からの認識結果の代替案を取得する要求であって、前記ツリー構造内の１つまたは複数のノードを指定する要求を前記ツリー構造に送信するステップと、
前記ツリー構造内の前記１つまたは複数のノードから認識結果の代替案を受信するステップと
を備えることを特徴とする方法。
【請求項２】
前記送信ステップは、取り出されるべき認識結果の代替案の最大数の指示を含み、
受信される認識結果の代替案の数は、前記指示で示される認識結果の前記代替案の数以下である
ことを特徴とする請求項１に記載の方法。
【請求項３】
前記ツリー構造内の前記ノードの代替案を要求することによってユーザが前記ツリー構造をより多く見ることを可能にすることを特徴とする請求項１に記載の方法。
【請求項４】
前記１つまたは複数のノードを指定することは、さらに、前記ツリー構造内の１つまたは複数のストロークを指定すること
を含むことを特徴とする請求項１に記載の方法。
【請求項５】
前記ツリー構造内のノードの代替案を要求することによってユーザが前記ツリー構造を上や下に移動することを可能にすることを特徴とする請求項４に記載の方法。
【請求項６】
電子インクに関する情報と、前記電子インクに関する代替の認識結果とを含むツリー構造と対話するための方法であって、
認識結果の代替案の指定を含む要求を前記ツリー構造に送信するステップと、
前記指定された認識結果の代替案をオブジェクト内の認識結果の最上位代替案として設定するように前記ツリー構造を修正するステップと
を備えることを特徴とする方法。
【請求項７】
前記要求を送信する前記ステップは、
前記ツリー構造の後の修正に拘らず、前記指定された認識結果の代替案を認識結果の前記最上位代替案として保持するための指示を前記ツリー構造に送信することをさらに備える
ことを特徴とする請求項６に記載の方法。
【請求項８】
前記要求を送信する前記ステップは、
前記指定された認識結果の代替案が後に認識器に送信されることを防ぐことをさらに備える
ことを特徴とする請求項６に記載の方法。
【請求項９】
電子インクに関する情報と、前記電子インクに関する代替の認識結果とを含むツリー構造と対話するための方法であって、
前記ツリー構造に、ストロークおよびノードのうちの少なくとも１つを指定する要求を送信するステップと、
前記ストロークおよびノードのうちの前記少なくとも１つを参照する、前記ストロークおよびノード以外のものの集合を含む応答を前記ツリー構造から受信するステップと
を備えることを特徴とする方法。
【請求項１０】
前記要求がストロークを指定した場合に、前記集合は、前記指定されたストロークを参照するすべてのノードを含み、
前記要求がノードを指定した場合に、前記集合は、前記指定されたノードの参照するすべてのストロークを含む
ことを特徴とする請求項９に記載の方法。
【請求項１１】
前記要求がストロークを指定した場合に、前記集合は、前記指定されたストロークのすべてを参照するノードだけを含み、
前記要求がノードを指定した場合に、前記集合は、前記指定されたノードのすべてを参照するストロークのみを含む
ことを特徴とする請求項９に記載の方法。
【請求項１２】
電子インクに関する情報と、前記電子インクに関する代替の認識結果とを含むツリー構造と対話するための方法であって、
テキスト範囲および一つ又は複数のコンテクスト・ノードのうちの少なくとも一つを指定する要求を前記ツリー構造に送信するステップと、
前記要求がテキスト範囲を指定する場合に、前記ツリー構造から、前記指定されたテキスト範囲を含むコンテクスト・ノードの集合を受信するステップと、
前記要求が一つ又は複数のコンテクスト・ノードを指定する場合に、前記ツリー構造から、前記コンテクスト・ノードに関連するテキスト範囲を受信するステップと
を備えることを特徴とする方法。
【請求項１３】
電子インクに関する情報と、前記電子インクに関する代替の認識結果とを含むツリー構造と対話するためのシステムであって、請求項１に記載の方法を使用することを特徴とするシステム。
【請求項１４】
電子インクに関する情報と、前記電子インクに関する代替の認識結果とを含むツリー構造と対話するためのシステムであって、請求項６に記載の方法を使用することを特徴とするシステム。
【請求項１５】
電子インクに関する情報と、前記電子インクに関する代替の認識結果とを含むツリー構造と対話するためのシステムであって、請求項９に記載の方法を使用することを特徴とするシステム。
【請求項１６】
電子インクに関する情報と、前記電子インクに関する代替の認識結果とを含むツリー構造と対話するためのシステムであって、請求項１２に記載の方法を使用することを特徴とするシステム。
【請求項１７】
電子インクの階層的な性質を表すツリー構造のコンテンツにアクセスするための方法であって、
ユーザによってインク・ストロークを指定するステップであって、前記指定されたインク・ストロークは複数のインクの行からのインク・ストロークを含むように指定するステップと、
前記指定されたインク・ストロークへの参照を選択ラティスとして格納するステップと
を備えることを特徴とする方法。
【請求項１８】
前記指定されたインク・ストロークに関連付けられたラティス・カラムを決定するステップと、
前記インク・ストロークに関連付けられ、前記選択ラティスを形成するラティス・カラムの集合を返すステップと
をさらに備えることを特徴とする請求項１７に記載の方法。
【請求項１９】
前記ラティス・カラムのそれぞれは、前記インク・ストロークの最上位の代替認識を含むことを特徴とする請求項１８に記載の方法。
【請求項２０】
前記選択ラティスは、行ノード、パラグラフ・ノード、ワード・ノード、および数学ノードのうちの少なくとも一つに関連付けられたラティス・カラムを含むことを特徴とする請求項１７に記載の方法。
【請求項２１】
少なくとも１つのプロパティを前記ラティス・カラム内に格納するステップをさらに備えることを特徴とする請求項１８に記載の方法。
【請求項２２】
前記選択ラティスは、代替案を含むラティス・カラムを含み、前記代替案は前記ツリー構造の代替ビューであることを特徴とする請求項１７に記載の方法。
【請求項２３】
階層的な構造を表すラティスを作成するための方法であって、
インクを解析するステップと、
前記解析されたインクを認識するステップと、
前記認識するステップからの代替案をラティス・カラム内に格納するステップと
をさらに備え、
前記代替案は前記認識されたインクの異なる階層構造、および前記認識されたインクの異なるデータ・タイプのうちの少なくとも一つを表すことを特徴とする方法。
【請求項２４】
前記ラティス・カラムはラティス要素を含み、
少なくとも１つのプロパティを、前記ラティス・カラムおよび前記ラティス要素のうちの少なくとも一つに格納するステップをさらに備えることを特徴とする請求項２３に記載の方法。
【請求項２５】
前記異なるデータ・タイプは、インク語と、描画と数式と音符のうちの少なくとも一つと、を含むことを特徴とする請求項２３に記載の方法。